(57)【要約】【課題】中性能フィルタユニットと高性能フィルタと間のバンクを無くし、コンパクト化を可能にした空気処理装置を提供すること。【解決手段】空気の流れの上流側から取付け・取外しができるようにフィルタ取付フレーム２ａに中性能フィルタ２ｂが取付けられた中性能フィルタユニット２と、中性能フィルタユニット２の下流側に隙間をおいて設置され、空気の流れの下流側から取付け・取外しができるようにフィルタ取付フレーム３ａに高性能フィルタ３ｂが取付けられた高性能フィルタユニット３とをチャンバ１に配置する。【選択図】図１
2010142769.tif 000002
【特許請求の範囲】
【請求項１】
空気が送り込まれる箱形のチャンバの室内に設置され、空気の流れの上流側から取付け・取外しができるようにフィルタ取付フレームに中性能フィルタが取付けられた中性能フィルタユニットと、
前記中性能フィルタユニットの下流側に隙間をおいて設置され、空気の流れの下流側から取付け・取外しができるようにフィルタ取付フレームに高性能フィルタが取付けられた高性能フィルタユニットと、を備えたことを特徴とする空気処理装置。
【請求項２】
空気が送り込まれる箱形のチャンバの室内に設置され、空気の流れの上流側から取付け・取外しができるようにフィルタ取付フレームにチャコールフィルタが取付けられたチャコールフィルタユニットと、
前記チャコールフィルタユニットの下流側に隙間をおいて設置され、空気の流れの下流側から取付け・取外しができるようにフィルタ取付フレームに高性能フィルタが取付けられた高性能フィルタユニットと、を備えたことを特徴とする空気処理装置。
【請求項３】
前記チャンバを構成するケーシングに、中性能フィルタユニット又はチャコールフィルタユニットの上流側の第１のバンクに通ずる第１の点検扉が設けられ、前記高性能フィルタユニットの下流側の第２のバンクに通ずる第２の点検扉が設けられていることを特徴とする請求項１又は２記載の空気処理装置。
【請求項４】
前記隙間に上流側と下流側の差圧を検出する差圧計用ノズル及びフィルタ性能試験用ノズルが設けられていることを特徴とする請求項１乃至３のいずれかに記載の空気処理装置。
【発明の詳細な説明】
【技術分野】
【０００１】
本発明は、例えば発電設備等に設けられる空気処理装置に関する。
【背景技術】
【０００２】
ガスタービン発電設備においては、比較的粗い塵埃を除去する中性能フィルタユニットを上流側に、細かい粒子状の塵埃を除去する高性能フィルタユニットを下流側に配置した空気処理装置が採用されている（特許文献１参照）。この場合、従来は、図２に示すように、チャンバ１の上流側に配置される中性能フィルタユニット２と、下流側に配置される高性能フィルタユニットとを広いスペースをおいて配置している。したがって、中性能フィルタユニット２の上流側に第１のバンク（フィルタ室）５、高性能フィルタユニット３の下流側に第２のバンク６が形成され、かつ、中性能フィルタユニット２と高性能フィルタの間にも第３のバンク２０が形成されている。第１のバンク５、第２のバンク６、及び第３のバンク２０は、いずれも、作業員が後述の作業ができる十分な空間を有する。
【０００３】
中性能フィルタユニット２は、フィルタ取付フレーム２ａに取付けられた中性能フィルタ２ｂを備え、下流方向である第２のバンク６から中性能フィルタ２ｂを取付け・取外しができるようになっている。高性能フィルタユニット３は、フィルタ取付フレーム３ａに取付けられた高性能フィルタ３ｂを備え、下流方向である第２のバンク６から高性能フィルタ３ｂを取付け・取外しができるようになっている。チャンバ１には、第１のバンク５に出入りする第１の点検扉１４、第２のバンク６に出入りする第２の点検扉１５及び第３のバンク２０に出入りする第３の点検扉２１がそれぞれ設けられている。中性能フィルタ２ｂを交換するときは、第３の点検扉２１から第３のバンク２０に入り、高性能フィルタ３ｂを交換するときは第２の点検扉から第２のバンク６に入って作業を行う。
【特許文献１】特開平１０−２４９１２３号公報
【発明の開示】
【発明が解決しようとする課題】
【０００４】
上記のように、中性能フィルタユニット２と高性能フィルタユニット３との間に広いスペースの第３のバンク２０を設ける構成では、その分フィルタの設置スペースが大きくなり、空気処理装置全体が大型化するという問題があった。これを避けるため、中性能フィルタユニット２と高性能フィルタユニット３を隣接させると、従来の構造では中性能フィルタユニット２の点検及び取付け・取外しができなくなってしまうため、隣接させることはできず、装置のコンパクト化が困難であった。
【０００５】
本発明は、このような課題に鑑みてなされたものであり、中性能フィルタユニットと高性能フィルタと間のバンクを無くし、コンパクト化を可能にした空気処理装置を提供することを目的とする。
【課題を解決するための手段】
【０００６】
本発明者は、中性能フィルタユニットと、高性能フィルタユニットを背中合わせに隙間をおいて設置することにより、両ユニット間のバンクを無くすることにより、装置のコンパクト化が可能となり、かつ、中性能フィルタの点検及び取付け・取外しも可能にすることを見出し、これに基づいて、以下のような新たな空気処理装置を発明するに至った。
【０００７】
（１）  空気が送り込まれる箱形のチャンバの室内に設置され、空気の流れの上流側から取付け・取外しができるようにフィルタ取付フレームに中性能フィルタが取付けられた中性能フィルタユニットと、前記中性能フィルタユニットの下流側に隙間をおいて設置され、空気の流れの下流側から取付け・取外しができるようにフィルタ取付フレームに高性能フィルタが取付けられた高性能フィルタユニットとを備えたことを特徴とする空気処理装置。
【０００８】
（１）記載の空気処理装置によれば、中性能フィルタユニットと、高性能フィルタユニットとを隙間をおいて設置し、中性能フィルタを上流方向から取付け・取外しできるように構成したことにより、空気処理装置のコンパクト化が可能となり、両ユニット間のバンクを無くしたにもかかわらず、中性能フィルタの点検及び取付け・取外しが第１のチャンバにおいて可能となる。
【０００９】
（２）  空気が送り込まれる箱形のチャンバの室内に設置され、空気の流れの上流側から取付け・取外しができるようにフィルタ取付フレームにチャコールフィルタが取付けられたチャコールフィルタユニットと、前記チャコールフィルタユニットの下流側に隙間をおいて設置され、空気の流れの下流側から取付け・取外しができるようにフィルタ取付フレームに高性能フィルタが取付けられた高性能フィルタユニットとを備えたことを特徴とする空気処理装置。
【００１０】
（２）記載の空気処理装置によれば、チャンバの室内に、チャコールフィルタユニットと、高性能フィルタユニットとを隙間をおいて設置し、チャコールフィルタを上流方向から取付け・取外しできるように構成したことにより、空気処理装置のコンパクト化が可能となりかつ、中性能フィルタの点検及び取付け・取外しも第１のチャンバにおいて行うことができる。
【００１１】
（３）  前記チャンバを構成するケーシングに、中性能フィルタユニット又はチャコールフィルタユニットの上流側の第１のバンクに通ずる第１の点検扉が設けられ、前記高性能フィルタユニットの下流側の第２のバンクに通ずる第２の点検扉が設けられていることを特徴とする（１）又は（２）記載の空気処理装置。
【００１２】
（３）記載の空気処理装置によれば、第１の点検扉と第２の点検扉の２個の扉のみで中性能フィルタ及び高性能フィルタの点検を行うことができる。
【００１３】
（４）  前記隙間に上流側と下流側の差圧を検出する差圧計用ノズル及びフィルタ性能試験用ノズルが設けられていることを特徴とする（１）乃至（３）のいずれかに記載の空気処理装置。
【００１４】
（４）記載の空気処理装置によれば、中性能フィルタユニットと高性能フィルタユニットの隙間を利用して差圧計用ノズル及びフィルタ性能試験用ノズルを設置することができる。
【発明の効果】
【００１５】
本発明によれば、中性能フィルタユニットと高性能フィルタを隣接させることにより、設置スペースを小さくし、空気処理装置のコンパクト化が可能となる。
【００１６】
本発明によれば、チャコールフィルタユニットと高性能フィルタを隣接させることにより、設置スペースを小さくし、空気処理装置のコンパクト化が可能となる。
【発明を実施するための最良の形態】
【００１７】
以下、本発明の実施形態について図面を参照して説明する。図１は、本発明の実施形態による空気処理装置の構成図である。
【００１８】
図１に示すように、チャンバ１の上流側に配置される中性能フィルタユニット２と、下流側に配置される高性能フィルタユニット３とが狭い隙間４をおいて配置されている。隙間４は、後述する差圧計用ノズル１６ａ及びフィルタ性能試験用ノズル１６ｂが設置できる空間を有していればよく、作業員が侵入できる空間を有している必要はない。そのため、本発明における隙間４は、従来の図２の第３のバンク２０に比べ、約１ｍ以上狭くすることができる。従来に比べ中性能フィルタユニット２の上流側に第１のバンク５、高性能フィルタユニット３の下流側に第２のバンク６が形成されている。
【００１９】
中性能フィルタユニット２は、フィルタ取付フレーム２ａと、フィルタ取付フレーム２ａに取付けられた中性能フィルタ２ｂとにより構成されている。フィルタ取付フレーム２ａは、前後方向に向く格子状の枠部７と、枠部７の底部に設けられた仕切板８とを有するものである。中性能フィルタ２ｂは、例えば、（縦）５９４ｍｍ×（横）５９４ｍｍ×（奥行き）２９３ｍｍの大きさの中性能フィルタを例示することができる。枠部７は、前後方向の長さが、中性能フィルタ２ｂの奥行きの長さよりも長い。中性能フィルタユニット２を、仕切板８の反対側の開口部９から枠部７内に挿入し、仕切板８に当接させて取付け、複数の中性能フィルタ２ｂからなる中性能フィルタユニット２が構成される。中性能フィルタユニット２を、上流方向である第１のバンク５から取付け・取外しができるようにフィルタ取付フレーム２ａの開口部９を上流側である第１のバンク５に向けて配置している。
【００２０】
高性能フィルタユニット３は、フィルタ取付フレーム３ａと、フィルタ取付フレーム３ａに取付けられた高性能フィルタ３ｂとにより構成されている。フィルタ取付フレーム３ａは、前後方向に向く格子状の枠部１０と、枠部１０の底部に設けられた仕切板１１とを有するものである。高性能フィルタ３ｂは、例えば、（縦）６１０ｍｍ×（横）６１０ｍｍ×（奥行き）２９２ｍｍの大きさの高性能フィルタを例示することができる。枠部１０は、前後方向の長さが、中性能フィルタ２ｂの奥行きの長さよりも長い。高性能フィルタユニット３を、仕切板１１の反対側の開口部１２から枠部１０内に挿入し、仕切板１１に当接させて取付け、複数の高性能フィルタ３ｂからなる高性能フィルタユニット３が構成される。高性能フィルタユニット３を、下流方向である第２のバンク６から取付け・取外しができるようにフィルタ取付フレーム３ａの開口部１２を下流側である第２のバンク６に向けて配置している。
【００２１】
チャンバ１は、中性能フィルタユニット２の上流側の第１のバンク５に出入りする第１の点検扉１４、及び高性能フィルタユニット３の下流側の第２のバンク６に出入りする第２の点検扉１５がそれぞれ設けられている。中性能フィルタ２ｂを交換するときは、第１の点検扉１４から第１のバンク５に入り、高性能フィルタ３ｂを交換するときは第２の点検扉１５から第２のバンク６に入って作業を行う。
【００２２】
中性能フィルタユニット２と高性能フィルタユニット３との間の隙間４には上流側と下流側の圧力差を検出する差圧計用ノズル１６ａ及びフィルタ性能試験用ノズル１６ｂが設けられている。なお、チャンバ１がコンクリート製で厚みのある構造の場合は、チャンバ１に隙間４に通ずる孔（図示せず）を形成し、この孔に差圧計用ノズル１６ａ及びフィルタ性能試験用ノズル１６ｂを取付けるようにしてもよい。
【００２３】
上記中性能フィルタ２ｂに代えてチャコールフィルタを使用することも可能である。チャコールフィルタは、吸着性の高い活性炭を使用したものもある。排気ガス、煤煙の分離除去あるいは空気中にヨウ素等の物質が含まれる場合には、中性能フィルタ２ｂに代えてヨウ素除去効率の高いチャコールフィルタを使用することが好ましい。
【００２４】
以上のように、本発明による空気処理装置は、上流側の中性能フィルタユニット又はチャコールフィルタユニットと下流側の高性能フィルタユニットとを隙間をおいて設置するとともに、中性能フィルタ又はチャコールフィルタは上流側のバンクから取付け・取外しすることができるようにしたので、両フィルタユニット間のバンクを無くすることができ、全体としてコンパクト化された空気処理装置が得られる。
【図面の簡単な説明】
【００２５】
【図１】本発明の実施形態による空気処理装置の構成図である。
【図２】従来の空気処理装置の構成図である。
【符号の説明】
【００２６】
１  チャンバ
２  中性能フィルタユニット
２ａ  フィルタ取付フレーム
２ｂ  中性能フィルタ
３  高性能フィルタユニット
３ａ  フィルタ取付フレーム
３ｂ  高性能フィルタ
４  隙間
５  第１のバンク
６  第２のバンク
１４  第１の点検扉
１５  第２の点検扉
１６ａ  差圧計用ノズル
１６ｂ  フィルタ性能試験用ノズル
２０  第３のバンク
【図１】
2010142769.tif 000003
【図２】
2010142769.tif 000004